(57)【要約】【課題】使用者に対し、上下方向の微小な幅の律動による刺激を与え、これにより使用者の身体機能を活性化させる装置において、装置のぐらつきを押さえて安定性を確保すると共に、装置の駆動に必要なエネルギーの省エネ化を図る。さらに、より大きな荷重についても使用可能とする。【解決手段】律動装置１は、床面上に載置され、上下方向に微小な幅で律動する律動機２と、使用者が上面側に乗せられると共に、律動機２上に、律動機２の律動に応じて律動可能に支持された断面ハット状の台座３とからなる。台座３は、両側へ舌片状に延出した一対の延出部３１と、一対の延出部の間において上方に突出した突出部３２とからなり、突出部３２の裏面側には、裏面側へ開口すると共に内部が中空の凹部３２３が形成されており、突出部３２の凹部３２３には、律動機２が収容されると共に、台座３を床面上に弾性的に支持する支持脚３４が取り付けられている。【選択図】図１
2016135224.tif 000002
【特許請求の範囲】
【請求項１】
床面上に載置され、上下方向に微小な幅で律動する律動機と、
使用者が上面側に乗せられると共に、上記律動機上に、上記律動機の律動に応じて律動可能に支持された断面ハット状の台座と、からなり、
上記台座は、両側へ舌片状に延出した一対の延出部と、一対の延出部の間において上方に突出した突出部と、からなり、
上記突出部の裏面側には、裏面側へ開口すると共に内部が中空の凹部が形成されており、
上記突出部の凹部には、上記律動機が収容されると共に、上記台座を床面上に弾性的に支持する支持脚が取り付けられている、
ことを特徴とする律動装置。
【請求項２】
上記支持脚は、高さを調整する高さ調整機構を備える、
請求項１記載の律動装置。
【発明の詳細な説明】
【技術分野】
【０００１】
本発明は、使用者に対し、上下方向の微小な幅の律動による刺激を与え、これにより使用者の身体機能を活性化させる装置に関する。
【背景技術】
【０００２】
従来、一般的な運動やトレーニングでは、能動的に動くことによって運動効果を得るが、老人や要介護者など、能動的な運動やトレーニングが難しい人もいる。しかしながら、このような老人や要介護者であっても、何らかの形で身体機能の維持、活性化に努める必要がある。
【０００３】
この点、特許文献１では、複数個の横枠および縦枠から構成され、揺動連接棒グループと回転可能に接続する基座と、制御プログラムおよび電気回路を有し、偏心軸棒を駆動して基座の揺動連接棒グループを動かす駆動機構と、基座上に位置する複数個の揺動連接棒と一つの支持枠とからなる揺動連接棒グループと、を備えることを特徴とする直線方向で振動幅を変化可能にする全身振動トレーニング装置が提案されている。
【先行技術文献】
【特許文献】
【０００４】
【特許文献１】特表２００９−５３１０８８号公報
【発明の概要】
【発明が解決しようとする課題】
【０００５】
しかしながら、上記特許文献１記載の装置にように、装置上に載せた上、使用者に振動を付与するときには装置側に大きな荷重がかかる。荷重が大きくなればその分、装置自体が不安定になってぐらつきやすくなるし、装置の駆動に必要な電力等のエネルギーが多く必要となる。
また、このような身体機能の維持、向上を図る装置は、老人や要介護者のほか、車椅子の使用者にも需要があるが、車椅子の使用者が車椅子に乗りながら、このような装置を使用することができればとても便利である。
【０００６】
そこで、本発明は、使用者に対し、上下方向の微小な幅の律動による刺激を与え、これにより使用者の身体機能を活性化させる装置において、装置のぐらつきを押さえて安定性を確保すると共に、装置の駆動に必要なエネルギーの省エネ化を図る。さらに、本発明は、より大きな荷重についても使用可能とすることを目的とする。
【課題を解決するための手段】
【０００７】
本発明の一の観点に係る律動装置は、床面上に載置され、上下方向に微小な幅で律動する律動機と、使用者が上面側に乗せられると共に、上記律動機上に、上記律動機の律動に応じて律動可能に支持された断面ハット状の台座と、からなり、上記台座は、両側へ舌片状に延出した一対の延出部と、一対の延出部の間において上方に突出した突出部と、からなり、上記突出部の裏面側には、裏面側へ開口すると共に内部が中空の凹部が形成されており、上記突出部の凹部には、上記律動機が収容されると共に、上記台座を床面上に弾性的に支持する支持脚が取り付けられていることを特徴とする。
【０００８】
また、上記支持脚は、高さを調整する高さ調整機構を備えるものとしてもよい。
【発明の効果】
【０００９】
本発明によれば、上下方向の微小な幅の律動による刺激を与え、これにより使用者の身体機能を活性化させる装置において、装置のぐらつきを押さえて安定性を確保すると共に、装置の駆動に必要なエネルギーの省エネ化を図ることができる。さらに、より大きな荷重についても使用することができる。
【図面の簡単な説明】
【００１０】
【図１】本発明の実施形態に係る律動装置を示した分解斜視図である。
【図２】本実施形態に係る律動装置を構成する台座の裏面図である。
【図３】本実施形態に係る律動装置において、台座に取り付けられている支持脚を示した側面図である。
【図４】本実施形態に係る律動装置の断面図である。
【図５】本実施形態に係る律動装置の使用状態を示した図であって、（ａ）側面図、（ｂ）正面図である。
【発明を実施するための形態】
【００１１】
以下、本発明の実施形態に係る律動装置について、図を参照して説明する。
図１に示されるように、本実施形態に係る律動装置１は、床面上に載置され、上下方向に微小な幅で律動する律動機２と、律動機２上に支持された台座３とからなる。
【００１２】
本例における律動機２は直方体形状からなり、中空部内に駆動用モータ等の駆動装置を収容した収容部２１と、当該収容部を覆い、駆動装置を駆動させることによって生じる律動に応じて上下方向に微小な振動幅で律動する蓋体２２とから構成されている。
【００１３】
この律動機２は例えば、１０Ｈｚ前後の振動数で、振幅１〜２ｍｍの微小幅で律動する。そして、蓋体２２の上面は、台座を支持する支持面を構成しており、律動機２を作動させることによって、蓋体２２上に支持されている台座３が律動するようになっている。
なお、収容部２１の両側面に夫々、把手２１１が取り付けられており、持ち運びが容易になっているが、この把手２１１はなくてもよい。
【００１４】
台座３は、律動機２の律動に応じて律動可能となっており、上面側に使用者が乗せられると、律動機２の律動に応じた振動が使用者に伝達する。
【００１５】
この台座３は、断面ハット状からなり、両側へ舌片状に延出した一対の延出部３１と、一対の延出部３１の間において上方に突出した突出部３２とからなる。
延出部３１は、厚みが薄く、台座３が律動機２と共に床面上に載置された際、床面と延出部３１によって形成される段差は非常に小さなものとなる。
【００１６】
突出部３２は、一対の延出部３１の縁辺から直角に立設した一対の立設部３２１と、一対の立設部３２１間に水平に掛け渡された天面部３２２とから構成される。また、突出部３２の裏面側には、裏面側へ開口すると共に内部が中空の凹部３２３が形成されている。さらに、突出部３２の両側面は開口して開口部３２４を形成しており、当該開口部３２４に手を入れ、台座３を握持して持ち運ぶことが容易になっている。
【００１７】
図２に示されるように、台座３の裏面側には、延出部３１や凹部３２３の形状に応じ、延出部３３１、立設部３３２、及び天面部３３３からなる補強板３３が取り付けられている。この補強板３３は、台座３の強度を補強するための薄板であって、ステンレス等の金属からなり、台座３の軽量化のために小さな孔が複数、形成されている。
なお、この補強板３３は補強のために取り付けられるものであって、補強板３３を取り付けずに台座３３を用いることもできる。また、補強板３３の孔も必須ではなく、孔を設けないものとすることもできる。
【００１８】
突出部３２の裏面側に形成されている凹部３２３には、律動機２が収容可能になっている。この凹部３２３の寸法は律動機２を収容可能な寸法となっているが、凹部３２３の深さについては、凹部３２３に律動機２を収容した状態で律動機２と台座３を床面上に載置した際、少なくなくとも律動機２が床面に当接すると共に、律動機２の上面が、補強板３３の天面部３３３に当接して、天面部３２２を支持することのできる深さとなっている。
【００１９】
また、この凹部３２３には、補強板３３の天面部３３３を間に挟んで、天面部３２２の裏面側に一対の支持脚３４が取り付けられている。
支持脚３４は図３に示されるように、床面に当接する円盤状の基台部３４１、基台部３４１の中央から台座３側へ延び出た基軸部３４２、基軸部３４２の上方の端部からさらに上方へ延びた螺軸部３４３からなる。
【００２０】
基軸部３４２は台座３を支持する棒状の部材である。
この基軸部３４２の内部には、上方に螺軸部３４３が螺入するネジ溝が形成されている。
また、基軸部３４２の内部には弾性機構が備えられている。弾性機構は例えば、バネ、スプリング、空気又は油圧によるダンパーなど、特に限定されないが、上下方向に弾性的に伸縮し、これにより、律動装置１の使用時に上方からかかる荷重を吸収することができる。
【００２１】
螺軸部３４３は、外周面に雄ネジが切られた棒状の部材であり、一端が補強板３３の天面部３３３を間に挟んで、天面部３２２の裏面側に取り付けられ、他端が基軸部３４２の上方に形成されているネジ溝に螺入している。この螺軸部３４３が基軸部３４２のネジ溝に螺入する深さを調整することにより、支持脚３４の高さを調整することができる。
【００２２】
なお、螺軸部３４３による高さ調整機構は、本例のようなネジ構造に限らず、段階的にピン止めあるいはネジ止めするような機構であってもよく、特に限定されない。
【００２３】
また、台座３の裏面側には、補強板３３の延出部３３１を間に挟んで、延出部３１の裏面側に緩衝部材３５が取り付けられている。この緩衝部材３５は樹脂素材からなり、台座３の裏面の四隅に取り付けられて、台座３から床面にかかる荷重を緩衝したり、台座３のぐらつきを抑制したりする。
なお、緩衝部材３５を取り付けなくても、律動装置１を使用することは可能である。また、後述する使用例のとおり、緩衝部材３５を取り付ける場合、床面と延出部３１との段差が高くならないよう、緩衝部材３５の厚みは薄くした方が好適である。
【００２４】
使用にあたってはまず、律動機２が台座３内に収容された律動装置１を床面上に載置する。このとき、使用によって律動機２上にかかる荷重に応じ、予め支持脚３１３の高さを調整しておく。即ち、荷重が大きい場合には高めに設定する。これにより、大きな荷重によって支持脚３１３が縮む量を大きくすることができ、より大きな荷重に対応することができる。一方、荷重が小さい場合には低めに設定する。これにより、荷重が小さい場合においても、確実に支持脚３１３の端部を床面に当接させ、ぐらつきを防ぐことができる。
【００２５】
続いて、本実施形態に係る律動装置１の使用例について、図５を参照して説明する。
図５の例では、車椅子４に乗った使用者が使用する場合を示しており、使用者は車椅子４ごと律動装置１に乗って、律動による振動を受けることができる。
ここで、使用にあたってはまず、律動装置１を床面上に載置し、台座３上に乗せる車椅子４及び使用者の重量に応じて支持脚３４の高さを調整しておく。そして、車椅子４に乗っている使用者は、車椅子４を動かして床面から直接、車椅子４の左右の車輪を延出部３１に載せるようにして律動装置１上に乗る。この点、律動装置１の左右一対の延出部３１の厚みが薄いことから、床面と延出部３１とによって形成される段差が小さく、その結果、車椅子４を動かして床面から直接、車椅子４の左右の車輪を延出部３１に載せるようにして、車椅子４を律動装置１上に載せることができる。
【００２６】
なお、本例では、車椅子４の使用者による使用例を示したが、これに限らず、台座３の上に直接立ったり、足を置いたりして律動機１を使用することもできる。また、普通の椅子であっても、脚を延出部３１に載せるなどすれば、椅子に座った状態で律動機１を使用することができる。
【００２７】
以上の本実施形態に係る律動装置１は、高さを調整することができると共に、弾性的に伸縮可能に構成されていることから、装置のぐらつきを押さえて安定性を確保しつつ、装置の駆動に必要なエネルギーの省エネ化を図ることができる。また、荷重を分散し、より大きな荷重についても使用することができる。
さらに、車椅子に乗った使用者であっても、車椅子ごと律動装置１に乗ることが容易であって、車椅子に乗ったまま律動装置１による律動の刺激を受けることができ、健常者等と同様、使用者の身体機能を維持、活性化を図ることができる。
【符号の説明】
【００２８】
１      律動装置
２      律動機
２１    収容部
２１１  把手
２２    蓋体
３      台座
３１    延出部
３２    突出部
３２１  立設部
３２２  天面部
３２３  凹部
３２４  開口部
３３    補強板
３３１  延出部
３３２  立設部
３３３  天面部
３４    支持脚
３４１  基台部
３４２  基軸部
３４３  螺軸部
３５    緩衝部材
４      車椅子
【図１】
2016135224.tif 000003
【図２】
2016135224.tif 000004
【図３】
2016135224.tif 000005
【図４】
2016135224.tif 000006
【図５】
2016135224.tif 000007